(57)【特許請求の範囲】
【請求項１】
ビデオ信号接続装置（２６）において、
（ａ）ｘ軸に沿ったコネクタ行およびｙ軸に沿ったコネクタ列に配列された個別ビデオ信号コネクタ接点（３０）のアレイ（２８）と、
（ｂ）前記アレイ（２８）の前記個別ビデオ信号コネクタ接点（３０）に接点の数が対応する個別コネクタ接点（３８）を有する第１のコネクタ（３６）と、
（ｃ）前記個別ビデオ信号コネクタ接点（３０）と前記個別コネクタ接点（３８）を相互接続する導体（３４）と、
（ｄ）前記第１のコネクタ（３６）の前記個別コネクタ接点（３８）と電気的に接触した個別コネクタ接点（４２）を有する第２のコネクタ（４０）と、
（ｅ）前記第２のコネクタ（４０）の前記個別コネクタ接点（４２）に接続された信号処理ユニット（４４）とを備え、前記第１のコネクタ（３６）および前記第２のコネクタ（４０）が、前記ｘ軸および前記ｙ軸の両方を含む面と一直線に並ぶ、ビデオ信号接続装置。
【請求項２】
前記導体（３４）の各々の少なくとも一部分が、前記第１のコネクタ（３６）および前記第２のコネクタ（４０）と一直線に並ぶ、請求項１に記載のビデオ信号接続装置。
【請求項３】
前記信号処理ユニット（４４）が、前記第１のコネクタ（３６）および前記第２のコネクタ（４０）と一直線に並ぶ、請求項１に記載のビデオ信号接続装置。
【請求項４】
前記信号処理ユニット（４４）が、前記第１のコネクタ（３６）および前記第２のコネクタ（４０）と一直線に並ぶ、請求項２に記載のビデオ信号接続装置。
【請求項５】
ビデオ信号接続装置（２６）において、
（ａ）ｘ軸に沿ったコネクタ行およびｙ軸に沿ったコネクタ列に配列された個別ビデオ信号コネクタ接点（３０）のアレイ（２８）と、
（ｂ）前記アレイ（２８）の前記個別ビデオ信号コネクタ接点（３０）に接点の数が対応する個別コネクタ接点（３８）を有する第１のコネクタ（３６）と、
（ｃ）前記個別ビデオ信号コネクタ接点（３０）と前記個別コネクタ接点（３８）を相互接続する導体（３４）と、
（ｄ）前記第１のコネクタ（３６）の前記個別コネクタ接点（３８）と電気的に接触した個別コネクタ接点（４２）を有する第２のコネクタ（４０）と、
（ｅ）前記第２のコネクタ（４０）の前記個別コネクタ接点（４２）に接続された信号処理ユニット（４４）とを備え、
前記個別ビデオ信号コネクタ接点（３０）の前記アレイ（２８）の行のビデオ信号接点、前記第１のコネクタ（３６）、前記第２のコネクタ（４０）および前記信号処理ユニット（４４）が、ライン方向に連続して配置され、前記第１のコネクタ（３６）、前記第２のコネクタ（４０）、および前記信号処理ユニット（４４）が、前記ｘ軸および前記ｙ軸の両方を含む面と一直線に並ぶ、ビデオ信号接続装置。
【請求項６】
ビデオ信号接続装置（２６）において、
（ａ）ｘ軸に沿ったコネクタ行およびｙ軸に沿ったコネクタ列に配列された個別ビデオ信号コネクタ接点（３０）のアレイ（２８）と、
（ｂ）前記アレイ（２８）の前記個別ビデオ信号コネクタ接点（３０）に接点の数が対応する個別コネクタ接点（３８）を有する第１のコネクタ（３６）と、
（ｃ）前記個別ビデオ信号コネクタ接点（３０）と前記個別コネクタ接点（３８）を相互接続する導体（３４）と、
（ｄ）前記第１のコネクタ（３６）の前記個別コネクタ接点（３８）と電気的に接触した個別コネクタ接点（４２）を有する第２のコネクタ（４０）と、
（ｅ）前記第２のコネクタ（４０）の前記個別コネクタ接点（４２）に接続された信号処理ユニット（４４）とを備え、
前記個別ビデオ信号コネクタ接点（３０）の前記アレイ（２８）の列のビデオ信号接点、前記第１のコネクタ（３６）、前記第２のコネクタ（４０）および前記信号処理ユニット（４４）が、ライン方向に連続して配置され、前記第１のコネクタ（３６）、前記第２のコネクタ（４０）、および前記信号処理ユニット（４４）が、前記ｘ軸および前記ｙ軸の両方を含む面と一直線に並ぶ、ビデオ信号接続装置。
【請求項７】
ビデオ信号接続装置（５４）において、
（ａ）コネクタ行およびコネクタ列を有するマトリックスに配列された個別ビデオ信号コネクタ接点（３０）のアレイ（２８）と、
（ｂ）前記アレイ（２８）の前記個別ビデオ信号コネクタ接点（３０）に接点の数が対応する、前記個別ビデオ信号コネクタ接点（３０）に個別に接続された個別コネクタ接点（３８）を有する第１のコネクタ（３６）と、
（ｃ）前記個別コネクタ接点（３８）に接点の数が対応し、かつ、前記個別ビデオ信号コネクタ接点（３０）に接続された個別入力接点、および第１および第２の出力接点セットを有するシステム拡張デバイス（５６）であって、各出力接点セットが、前記システム拡張デバイス（５６）の前記個別入力接点に接点の数が対応する出力接点を有し、各出力接点セットの各出力接点が、前記システム拡張デバイス（５６）の前記個別入力接点の個別の１つに接続される、システム拡張デバイス（５６）とを備え、
前記第１のコネクタ（３６）、および前記システム拡張デバイス（５６）が、前記コネクタ行および前記コネクタ列の両方を含む面と一直線に並ぶ、ビデオ信号接続装置。
【請求項８】
前記アレイ（３０）の接点が第１の接続方向に延び、前記システム拡張デバイス（５６）の前記個別入力接点が、前記第１の接続方向に対して直角をなす第２の接続方向に延びる、請求項７に記載のビデオ信号接続装置。
【請求項９】
前記システム拡張デバイス（５６）の前記第１の出力接点セットの前記出力接点が、前記システム拡張デバイス（５６）の前記第２の出力接点セットの前記出力接点の接続方向に対して直角をなす接続方向に延びる、請求項７に記載のビデオ信号接続装置。
【請求項１０】
前記システム拡張デバイス（５６）の前記第１の出力接点セットの前記出力接点が、前記システム拡張デバイス（５６）の前記第２の出力接点セットの前記出力接点の接続方向に対して直角をなす接続方向に延びる、請求項８に記載のビデオ信号接続装置。
【請求項１１】
前記個別コネクタ接点（３８）と前記アレイ（２８）の前記個別ビデオ信号コネクタ接点（３０）を相互接続する導体（３４）をさらに備え、前記導体（３４）が前記第２の接続方向に延びる、請求項８に記載のビデオ信号接続装置。
【請求項１２】
前記個別コネクタ接点（３８）と前記アレイ（２８）の前記個別ビデオ信号コネクタ接点（３０）を相互接続する導体（３４）をさらに備え、前記導体（３４）が前記第２の接続方向に延びる、請求項８に記載のビデオ信号接続装置。
【請求項１３】
前記個別コネクタ接点（３８）と前記アレイ（２８）の前記個別ビデオ信号コネクタ接点（３０）を相互接続する導体（３４）をさらに備え、前記導体（３４）が前記第２の接続方向に延びる、請求項９に記載のビデオ信号接続装置。
【請求項１４】
前記個別コネクタ接点（３８）と前記アレイ（２８）の前記個別ビデオ信号コネクタ接点（３０）を相互接続する導体（３４）をさらに備え、前記導体（３４）が前記第２の接続方向に延びる、請求項１０に記載のビデオ信号接続装置。
【請求項１５】
前記システム拡張デバイス（５６）の前記第１の出力接点セットの前記出力接点に接点の数が対応し、かつ、前記第１接点セットに接続された接点を有する入力接点セットを有する第２のコネクタ（４２）をさらに備える、請求項７に記載のビデオ信号接続装置。
【請求項１６】
前記第２のコネクタ（４２）の前記入力接点セットの前記接点に接続された信号処理ユニット（４４）をさらに備える、請求項１５に記載のビデオ信号接続装置。
【請求項１７】
前記第２のコネクタ（４２）の前記入力接点セットの前記接点が、前記第２の接続方向に延びる、請求項１５に記載のビデオ信号接続装置。
【請求項１８】
前記第１のコネクタ（３６）から前記システム拡張デバイス（５６）を分離することができ、かつ、前記システム拡張デバイス（５６）から前記信号処理ユニット（４４）を分離することができる、請求項１６に記載のビデオ信号接続装置。
【請求項１９】
ビデオ信号接続装置（２６）において、
（ａ）ｘ軸に沿ったコネクタ行およびｙ軸に沿ったコネクタ列に配列された個別ビデオ信号コネクタ接点（３０）のアレイ（２８）と、
（ｂ）前記アレイ（２８）の前記個別ビデオ信号コネクタ接点（３０）に接点の数が対応する個別コネクタ接点（３８）を有する第１のコネクタ（３６）と、
（ｃ）前記個別ビデオ信号コネクタ接点（３０）と前記個別コネクタ接点（３８）を相互接続する導体（３４）と、
（ｄ）前記第１のコネクタ（３６）の前記個別コネクタ接点（３８）と電気的に接触した個別コネクタ接点（４２）を有する第２のコネクタ（４０）と、
（ｅ）前記第２のコネクタ（４０）の前記個別コネクタ接点（４２）に接続された信号処理ユニット（４４）とを備え、
前記第１のコネクタ（３６）、前記第２のコネクタ（４０）、及び前記信号処理ユニット（４４）が、前記ｘ軸および前記ｙ軸の両方を含む面と一直線に並ぶ、ビデオ信号接続装置。
【請求項２０】
ビデオ信号接続装置（２６）において、
（ａ）コネクタ行およびコネクタ列を有するマトリックスに配列された、第１の接続方向に延びる個別ビデオ信号コネクタ接点（３０）のアレイ（２８）と、
（ｂ）前記アレイ（２８）の前記個別ビデオ信号コネクタ接点（３０）に接点の数が対応する、前記第１の接続方向に対して直角をなす第２の接続方向に延びた個別コネクタ接点（３８）を有する第１のコネクタ（３６）と、
（ｃ）前記個別ビデオ信号コネクタ接点（３０）と前記個別コネクタ接点（３８）を相互接続する導体（３４）とを備え、
前記第１のコネクタ（３６）が、前記コネクタ行および前記コネクタ列の両方を含む面と一直線に並ぶ、ビデオ信号接続装置。
【請求項２１】
前記第１のコネクタ（３６）の前記個別コネクタ接点（３８）と電気的に接触した、前記第２の接続方向に延びた個別コネクタ接点（４２）を有する第２のコネクタ（４０）をさらに備える、請求項２０に記載のビデオ信号接続装置。
【請求項２２】
前記第２のコネクタ（４０）の前記個別コネクタ接点（４２）に接続された信号処理ユニット（４４）をさらに備える、請求項２１に記載のビデオ信号接続装置。
【請求項２３】
前記第１のコネクタ（３６）および前記第２のコネクタ（４０）を互いに分離することができ、前記第１のコネクタ（３６）および前記第２のコネクタ（４０）を分離したとき、前記第２のコネクタ（４０）を前記信号処理ユニット（４４）と共に前記ビデオ信号接続装置から取り外すことができる、請求項２２に記載のビデオ信号接続装置。
【請求項２４】
前記個別ビデオ信号コネクタ接点（３０）が、前記信号処理ユニット（４４）の少なくとも一部と共に前記第２の接続方向に延びた基板（５０）上で支持される、請求項２２に記載のビデオ信号接続装置（４８）。
【請求項２５】
前記信号処理ユニット（４４）を前記基板（５０）に解放可能に連動させるための、前記基板（５０）上の前記信号処理ユニット（４４）の前記少なくとも一部の位置に配置された解放可能連動手段（５２）をさらに備える、請求項２４に記載のビデオ信号接続装置（４８）。
【請求項２６】
ビデオ信号接続装置（２６）において、
（ａ）コネクタ行およびコネクタ列を有するマトリックスに配列された、第１の接続方向に延びる個別ビデオ信号コネクタ接点（３０）のアレイ（２８）と、
（ｂ）前記アレイ（２８）の前記個別ビデオ信号コネクタ接点（３０）に接点の数が対応し、前記第１の接続方向に対して直角をなす第２の接続方向に延びた個別コネクタ接点（３８）を有する第１のコネクタ（３６）と、
（ｃ）前記個別ビデオ信号コネクタ接点（３０）と前記個別コネクタ接点（３６）を相互接続する導体（３４）と、
（ｄ）前記第１のコネクタ（３６）の前記個別コネクタ接点（３０）と電気的に接触した、前記第２の接続方向に延びた個別コネクタ接点（４２）を有する第２のコネクタ（４０）と、
（ｅ）前記第２のコネクタ（４０）の前記個別コネクタ接点（４２）に接続された、前記第１および第２のコネクタ（３６、４０）の前記個別コネクタ接点（３８、４２）と一直線に並ぶ信号処理ユニット（４４）とを備え、
前記第１のコネクタ（３６）、前記第２のコネクタ（４０）、および前記信号処理ユニット（４４）が、前記コネクタ行および前記コネクタ列の両方を含む面と一直線に並ぶ、ビデオ信号接続装置。
【請求項２７】
前記第１および前記第２のコネクタ（３６、４０）を互いに分離することができ、前記第１および前記第２のコネクタ（３６、４０）を分離したとき、前記第２のコネクタ（４０）を前記信号処理ユニット（４４）と共に前記ビデオ信号接続装置（２６）から取り外すことができる、請求項２６に記載のビデオ信号接続装置。
【請求項２８】
前記個別ビデオ信号コネクタ接点（３０）が、前記信号処理ユニット（４４）の少なくとも一部と共に前記第２の接続方向に延びた基板（５０）上で支持される、請求項２６に記載のビデオ信号接続装置（４８）。
【請求項２９】
前記信号処理ユニット（４４）を前記基板（５０）に解放可能に連動させるための、前記基板（５０）上の前記信号処理ユニット（４４）の前記少なくとも一部の位置に配置された解放可能連動手段（５２）をさらに備える、請求項２８に記載のビデオ信号接続装置（４８）。
【請求項３０】
ビデオ信号接続装置（２６）において、
（ａ）ｘ軸、ｙ軸のマトリックスに配列された、ｚ軸方向に延びる個別ビデオ信号コネクタ接点（３０）のアレイ（２８）と、
（ｂ）前記アレイ（２８）の前記個別ビデオ信号コネクタ接点（３０）に接点の数が対応し、前記ｙ軸の方向に延びた個別コネクタ接点（３８）を有する第１のコネクタ（３６）と、
（ｃ）前記アレイ（２８）の前記個別ビデオ信号コネクタ接点（３０）と前記個別コネクタ接点（３８）を相互接続する導体（４４）とを備え、
前記第１のコネクタ（３６）が、前記ｘ軸および前記ｙ軸の両方を含む面と一直線に並ぶ、ビデオ信号接続装置。
【請求項３１】
前記第１のコネクタ（３６）の前記個別コネクタ接点（３８）と電気的に接触した、前記ｙ軸の方向に延びる個別コネクタ接点（４２）を有する第２のコネクタ（４０）をさらに備える、請求項３０に記載のビデオ信号接続装置。
【請求項３２】
前記第２のコネクタ（４０）の前記個別コネクタ接点（４２）に接続された信号処理ユニット（４４）をさらに備える、請求項３１に記載のビデオ信号接続装置。
【請求項３３】
前記第１および第２のコネクタ（３６、４０）を互いに分離することができ、前記第１および第２のコネクタ（４０）を分離したとき、前記第２のコネクタ（４０）を前記信号処理ユニット（４４）と共に前記ビデオ信号接続装置（２６）から取り外すことができる、請求項３２に記載のビデオ信号接続装置。
【請求項３４】
前記アレイ（２８）の前記個別ビデオ信号コネクタ接点（３０）が、前記信号処理ユニット（４４）の少なくとも一部と共に延びた基板（５０）上で支持される、請求項３２に記載のビデオ信号接続装置（４８）。
【請求項３５】
前記信号処理ユニット（４４）を前記基板（５０）に解放可能に連動させるための、前記基板（５０）上の前記信号処理ユニット（４４）の前記少なくとも一部の位置に配置された解放可能連動手段（７４）をさらに備える、請求項３４に記載のビデオ信号接続装置（４８）。
【請求項３６】
ビデオ信号接続装置（２６）において、
（ａ）ｘ軸、ｙ軸のマトリックスに配列された、ｚ軸方向に延びる個別ビデオ信号コネクタ接点（３０）のアレイ（２８）と、
（ｂ）前記アレイ（２８）の前記個別ビデオ信号コネクタ接点（３０）に接点の数が対応し、前記ｘ軸の方向に延びた個別コネクタ接点（３８）を有する第１のコネクタ（３６）と、
（ｃ）前記アレイ（２８）の前記個別ビデオ信号コネクタ接点（３０）と前記個別コネクタ接点（３８）を相互接続する導体（３４）とを備え、
前記第１のコネクタ（３６）が、前記ｘ軸および前記ｙ軸の両方を含む面と一直線に並ぶ、ビデオ信号接続装置。
【請求項３７】
前記第１のコネクタ（３６）の前記個別コネクタ接点（３８）と電気的に接触した、前記ｘ軸の方向に延びた個別コネクタ接点（４２）を有する第２のコネクタ（４０）をさらに備える、請求項３６に記載のビデオ信号接続装置。
【請求項３８】
前記第２のコネクタ（４０）の前記個別コネクタ接点（４２）に接続された信号処理ユニット（４４）をさらに備える、請求項３７に記載のビデオ信号接続装置。
【請求項３９】
前記第１および第２のコネクタ（３６、４０）を互いに分離することができ、前記第１および第２のコネクタ（４０）を分離したとき、前記第２のコネクタ（４０）を前記信号処理ユニット（４４）と共に前記ビデオ信号接続装置（２６）から取り外すことができる、請求項３８に記載のビデオ信号接続装置。
【請求項４０】
前記アレイ（２８）の前記個別ビデオ信号コネクタ接点（３０）が、前記信号処理ユニット（４４）の少なくとも一部と共に延びた基板（５０）上で支持される、請求項３８に記載のビデオ信号接続装置（４８）。
【請求項４１】
前記信号処理ユニット（４４）を前記基板（５０）に解放可能に連動させるための、前記基板（５０）上の前記信号処理ユニット（４４）の前記少なくとも一部の位置に配置された解放可能連動手段（７４）をさらに備える、請求項４０に記載のビデオ信号接続装置（４８）。
【請求項４２】
ビデオ信号接続装置（２６）において、
（ａ）コネクタ行およびコネクタ列を有するマトリックスに配列された、第１の接続方向に延びる個別ビデオ信号コネクタ接点（３０）のアレイ（２８）と、
（ｂ）前記第１の接続方向に対して直角をなす第２の接続方向に延びた、前記個別ビデオ信号コネクタ接点（３８）を支える第１の基板（３２）と、
（ｃ）第２の基板上で支持された信号処理ユニット（４４）とを備え、前記第２の基板の一部が、前記第２の接続方向に沿って、前記第１の基板（３２）の一部と並置され、
前記第１の基板（３２）及び前記信号処理ユニット（４４）が、前記コネクタ行および前記コネクタ列の両方を含む面と一直線に並ぶ、ビデオ信号接続装置。
【発明の詳細な説明】
【０００１】
（発明の分野）
本発明は一般に電気接続装置に関し、より詳細には監視応用分野のためのＣＣＴＶ（閉回路テレビジョン）システムに使用する接続装置に関する。
【０００２】
（発明の背景）
監視応用分野のための知られているＣＣＴＶシステムは、通常、関心のある場所に配置される複数のビデオ・カメラと、複数のビデオ・カメラに対応する数で入力コネクタがある、いわゆる「バック・パネル」を有する接続装置とを含む。ビデオ・カメラから延びているケーブルは、いわゆる「ＢＮＣ」ジャック・コネクタを用いて終端され、また、バック・パネル入力コネクタは、ケーブル・ジャック・コネクタのうち１つをそれぞれが受け取るＢＮＣソケット・コネクタである。
【０００３】
監視応用分野向けに知られているＣＣＴＶシステムの１つのタイプでは、ＢＮＣソケット・コネクタは、個別配線によって、カメラ・ビデオ信号を処理する電子信号処理回路（一般にプリント回路基板（ＰＣＢ））の入力端子に個別に接続されている。電子処理回路の出力端子は、別の個別配線によってバック・パネル出力コネクタに接続されている。
【０００４】
上述したタイプの知られているＣＣＴＶシステムは、ＣＣＴＶシステムの電子信号処理回路を修理する必要が、すなわち電子信号処理回路内で発生する障害を修復する必要が生じた場合に重大な難点がある。したがって試験のためにＰＣＢを取り外すためには、ＰＣＢに接続されているすべての個別配線（入力および出力）を分離する必要があり、また、その後で再接続するためにすべての配線およびＰＣＢコネクタを適切に識別しなければならない。
【０００５】
物品監視のための知られている第２のタイプのＣＣＴＶシステムでは、接続装置の内部に分離可能な接続部を提供することによって、前述の修理の難点が克服されている。この種の接続装置では、電子信号処理回路は、それぞれがカード・エッジ雄接続部を有する複数のＰＣＢの形態で提供されている。バック・パネルの入力および出力コネクタからの個別配線は、複数のカード・エッジ受取りコネクタで終端している。ＰＣＢを修理する必要が生じると、ＰＣＢがそのコネクタから単純に取り外され、それにより、バック・パネル・コネクタとカード・エッジ受取りコネクタの間の個別配線を分離する必要はない。
【０００６】
したがって、いま説明した第２のタイプの接続装置は、上述した第１のタイプの接続装置に優る利点を有しているが、両タイプ共に、また、知られている他のすべてのＣＣＴＶ接続装置も、以下の考察の中で説明するように、共通の欠点を有している。
【０００７】
知られているすべてのＣＣＴＶシステム接続装置の場合、バック・パネルは、入力／出力コネクタの数によって決められる最小のｘ方向およびｙ方向寸法を有する長方形部材を備えている。長方形部材は、ｚ軸に沿って延びた開放平行六面体ハウジングの後部で支持されている。個別配線は、ｚ軸に沿って電子信号処理回路まで（または、上で考察した第２の装置のカード・エッジ・コネクタまで）延びている。電子信号処理回路も同様にｚ軸に沿って延びている。
【０００８】
出願人の見解によれば、上で考察した幾何形状によって決められる周知のＣＣＴＶ接続装置は、ますます増加するカメラ（背面コネクタおよびｘｙ面積がさらに増加する）と、電子信号処理回路を絶えず縮小サイズにする傾向に対処していない。逆に、接続装置の現在の不要な体積（モニタ・ステーションの設置面積は、現在、既に過剰である）は、さらに増加する可能性があるとしか見受けられない。
【０００９】
（発明の概要）
本発明の主な目的は、現在知られている装置の前述の欠点を解決したＣＣＴＶ監視システム接続装置を提供することである。
【００１０】
この目的を達成するために、本発明の第１の態様によれば、
（ａ）コネクタ接点の行およびコネクタ接点の列を有するマトリックスに配列された、第１の接続方向に延びる個別ビデオ信号コネクタ接点のアレイと、
（ｂ）アレイの個別ビデオ信号コネクタ接点に接点の数に対応する、第１の接続方向に対して直角をなす第２の接続方向に延びた個別コネクタ接点を有するコネクタと、
（ｃ）個別ビデオ信号コネクタ接点と個別コネクタ接点を相互接続する導体とを備えたビデオ信号接続装置が提供される。
【００１１】
上記の目的を達成するために、本発明の第２の態様によれば、
（ａ）コネクタ接点の行およびコネクタ接点の列を有するマトリックスに配列された、第１の接続方向に延びる個別ビデオ信号コネクタ接点のアレイと、
（ｂ）アレイの個別ビデオ信号コネクタ接点に接点の数に対応する、第１の接続方向に対して直角をなす第２の接続方向に延びた個別コネクタ接点を有する第１のコネクタと、
（ｃ）個別ビデオ信号コネクタ接点と個別コネクタ接点を相互接続する導体と、
（ｄ）第１のコネクタの個別コネクタ接点と電気的に接続した、第２の接続方向に延びる個別コネクタ接点を有する第２のコネクタと、
（ｅ）第２のコネクタの個別コネクタ接点に接続され、かつ、第１および第２のコネクタの個別コネクタ接点と整列した信号処理ユニットとを備えたビデオ信号接続装置が提供される。
【００１２】
上記の目的を達成するために、本発明の第３の態様によれば、
（ａ）ｘ軸、ｙ軸マトリックスに配列された、ｚ軸方向に延びる個別ビデオ信号コネクタ接点のアレイと、
（ｂ）アレイの個別ビデオ信号コネクタ接点の数に対応する数の、ｙ軸の方向に延びた個別コネクタ接点を有するコネクタと、
（ｃ）アレイの個別ビデオ信号コネクタ接点と個別コネクタ接点を相互接続する導体とを備えたビデオ信号接続装置が提供される。
【００１３】
上記の目的を達成するために、本発明の第４の態様によれば、
（ａ）ｘ軸、ｙ軸マトリックスに配列された、ｚ軸方向に延びる個別ビデオ信号コネクタ接点のアレイと、
（ｂ）アレイの個別ビデオ信号コネクタ接点の数に対応する数の、ｘ軸の方向に延びた個別コネクタ接点を有するコネクタと、
（ｃ）アレイの個別ビデオ信号コネクタ接点と個別コネクタ接点を相互接続する導体とを備えたビデオ信号接続装置が提供される。
【００１４】
上記の目的を達成するために、本発明の第５の態様によれば、
（ａ）コネクタ接点行およびコネクタ接点列を有するマトリックスに配列された、第１の接続方向に延びる個別ビデオ信号コネクタ接点のアレイと、
（ｂ）個別ビデオ信号コネクタ接点を支える、第１の接続方向に対して直角をなす第２の方向に延びた第１の基板と、
（ｃ）第２の基板上で支持された信号処理ユニットとを備え、第２の接続方向に沿って、第２の基板の一部が第１の基板の一部と並置されたビデオ信号接続装置が提供される。
【００１５】
本発明のさらに他の態様によれば、Ｎ台のビデオ・カメラ、Ｎ台のビデオ・カメラのビデオ出力信号を受信するためのＮ個のコネクタを有するバック・パネル、およびバック・パネルのＮ個のコネクタに接続された、Ｎの約数であるＭ個のマルチプレクサを備えたＣＣＴＶシステムの改良が提供される。Ｍ個のマルチプレクサは共通の基板上で支持され、基板およびバック・パネルを相互に固定するためのラッチ手段が設けられている。ラッチ手段はユーザによる操作が可能であり、それにより基板およびバック・パネルの固定を解除することができる。
【００１６】
本発明については、本発明の好ましい実施形態についての以下の説明を考察し、また、全図面を通して同一参照番号表示によって同一部品が識別される図面により、さらに理解されるであろう。
【００１７】
（好ましい実施の形態の詳細な説明）
図１は、概ね、上で考察した物品監視のための知られている第２のタイプのＣＣＴＶシステムを示す説明図であり、ビデオ信号接続装置１０を分解して示したものである。装置１０は、バック・パネル１４を有する概ね箱形のシャーシ１２を備えている。シャーシ１４は、１４ａでそのうちの１つを示す複数のスロットを画定し、そのスロットは、基板１８を備えた複数のＩ／Ｏ接続接点ユニットを受け入れ、かつ、保持し、そのユニットの一つが１６で示されている。基板１８から、複数のビデオ信号コネクタ接点、すなわち１８ａでそのうちの１つを示すＢＮＣ雄接点の形態のＩ／Ｏビデオ信号コネクタ接点が、ビデオ・カメラ（図示せず）の雌接点（図示せず）と接続可能である。
【００１８】
２０でそのうちの１つを示す、導体を介したＩ／Ｏ接続接点ユニットとの相互接続のための複数のコネクタが、シャーシ１２の内部に支持されていて、そのコネクタの一つが示されている。図に示す導体２２は、接続接点１８ａとコネクタ２０を接続している。
【００１９】
Ｉ／Ｏビデオ信号コネクタ接点、例えば接点１８ａは、ｚ軸に一致する接続方向に沿って延びており、また、導体、例えば２０ａは、概ねこのｚ軸接続方向に沿って、コネクタ２２へ延びている。２４でそのうちの１つを示す複数の信号処理ユニットは、ｚ軸に沿って移動させることができ、それによりユニットをコネクタ２２に挿入し、かつ、コネクタ２２から取り外すことができる。信号処理ユニット２４は、典型的には、Ｉ／Ｏ接続ユニット２２内に接続可能に位置させることができる回路基板２４ａおよびカード・エッジ・コネクタ２４ｂを有するＰＣＢユニットの形態にすることができる。
【００２０】
シャーシ１２のｚ軸寸法、すなわち奥行きは、バック・パネル１４の奥行き、導体２０、コネクタ２２および信号処理ユニット２４のｚ軸長さによって決められることが分かる。シャーシ１２のｘ軸およびｙ軸寸法は、Ｉ／Ｏ接続接点ユニット１６の数によって決められることが分かる。また、上で述べたように、信号処理ユニットは、技術の進歩と共に常にサイズが縮小されるが、技術の進歩によって縮小されるのは、信号処理ユニットのシャーシ１２のｚ軸寸法の部分のみである。以下の考察から分かるように、ビデオ接続装置におけるこの体積の要求は、本主題発明の中で解決される。
【００２１】
図２および３を参照すると、ビデオ信号接続装置２６は、コネクタ接点行およびコネクタ接点列を有するマトリックスに配列された、第１の接続方向すなわちｚ軸に沿って延びた個別ビデオ信号コネクタ接点３０のアレイ２８を備えている。接点３０は、基板３２によって共通に支持されている。したがって装置２６の全ｚ軸寸法は、接点３０と基板３２のｚ軸寸法の合計である。基板３２の内部では、導体３４が、第１の接続方向に対して直角をなす第２の接続方向に延びている。したがって導体３４は、ｙ軸に沿って（垂直に）第１のコネクタ３６へ延びている。
【００２２】
第１のコネクタ３６は、アレイの個別ビデオ信号コネクタ接点に接点の数が対応する個別コネクタ接点３８を有している。また、コネクタ接点３８は、第２の接続方向に延びている。
【００２３】
第２のコネクタ４０は、第２の接続方向に延びた、第１のコネクタ３６の個別コネクタ接点３８と電気的に係合した個別コネクタ接点４２を有している。
信号処理ユニット４４は、第２のコネクタ４０の個別コネクタ接点４２に接続されている。
【００２４】
図に示す個別ビデオ信号コネクタ接点３０のアレイ２８は、４行×３列のマトリックスとして示されているが、マトリックスは、任意の所望のサイズ、例えば接続装置およびユーザ装置に４８台の個別ビデオ・カメラとの通信を可能にする常習的な８行×６列のマトリックスにすることができる。理解されるように、コネクタ接点アレイのこのような拡張は、装置２６の基板−接点コンポーネントのｘｙ面積を増加させるだけであり、基板−接点コンポーネントが壁取付け型である場合、システム・モニタ装置が配置される設置面積（カウンタ・トップ）を侵害することはできない。
【００２５】
もう一度図２および３を参照すると、第１のコネクタ３６および第２のコネクタ４０は互いに分離可能であり、第２のコネクタ４０は、第１および第２のコネクタを分離する際に、信号処理ユニット４４と共にビデオ信号接続装置２６から取り外すことができる。
【００２６】
図４を参照すると、ビデオ信号接続装置４８は、基板５０および解放可能接続デバイス５２を除き、図２および３に関連して上で考察したコンポーネントと同じコンポーネントで構成されている。
【００２７】
ｙ軸に沿った基板５０の寸法は、基板３２の寸法より長く、また、基板５０は、信号処理ユニット４４の少なくとも一部と共に第２の接続方向に延びており、それにより基板５０は、接続装置４８の反対側の横方向（ｘ軸）マージンの各基板５０および信号処理ユニット４４上の解放可能な機械式コネクタからなる接続デバイス５２を介して信号処理ユニット４４を支えている。
【００２８】
図５を参照すると、接続装置５４は、共通の参照番号表示で示すように、図１および２の接続装置２６とほぼ同じように構成されているが、第３のコネクタ５８によって第１のコネクタ３６に接続され、また、第４のコネクタ６０を介して第２のコネクタ４２に接続されたシステム拡張デバイス５６が設けられている。コネクタ５８の個別接点は、第５のコネクタ６２の個別接点に接続されている。第５のコネクタ６２の個別接点は、接点３０に供給されるすべての生成ビデオ・カメラ出力信号を、任意の所望のタイプのユーザ装置（図示せず）、例えばメモリ手段、記録手段およびネットワーク手段に利用できるようにしている。
【００２９】
図６および７を参照すると、接続装置６４は、図１および２の接続装置２６と同じコンポーネントで構成されているが、コネクタ３６および４２の接点、および接点３０をコネクタ３６の接点に接続している導体がｙ軸接続方向に延びている。
【００３０】
図８に示す接続装置６６は、接点３０および他の様々な接点のアレイ、およびＣＣＴＶ監視システムに利用することができるコネクタを有するバック・パネル基板６８を具体化したものである。カバー７０は、接続装置信号処理回路を密閉し、上下に移動させることができるよう、基板６８上にスライド可能に取り付けられている。カバー７０の上方への移動の限界点で、カバーおよび密閉された信号処理回路が、ラッチ機構によって動作位置にラッチされる。カバーおよび密閉された信号処理回路を基板から取り外すためには、ユーザは、凹形アクセス・スロット７２内に設けられた解放（ラッチ解除）ボタン（以下で考察する）を、カバー７０の左マージンの同様の解放ボタン（図示せず）と共に操作する。
【００３１】
図９（ａ）を参照すると、凹形アクセス・スロット７２は、チャネル７６内を移動させることができる解放ボタン７４およびロック（ラッチ）ボタン７８を備えている。解放ボタン７４を左側へ移動させると、ロック・ボタン７８が左側へ移動し、基板６８中のロック開口部（図示せず）との係合が外れる。指摘したように、カバー７０の左マージンでも操作は同様であり、次にカバーを下方にスライド移動させることによって取り外すことができる。
【００３２】
図９（ｂ）を参照すると、ボタン７４および７８は、バック・パネルに固定されるスプリング・クリップ８０の一部になっている。ボタン７８を左側へ解放位置まで移動させると、ボタン７８は予備荷重状態を維持し、次のロック要求を待機する。
【００３３】
従来技術を示す図１をもう一度参照すると、従来技術の構造には、複数のコネクタ２０および複数の信号処理ユニット２４が含まれている。複数の信号処理ユニットのすべてが取り外されると、次に信号処理ユニットを再挿入する際に、信号処理ユニットを他の信号処理ユニットに割り当てられたコネクタに挿入してしまう可能性がある。この問題は、図１０に示す本発明による構造によって解決される。
【００３４】
ここで図１０を参照すると、図に示されているＣＣＴＶシステムは、前述の相互接続可能コネクタ３６および４０を備え、かつ、相互接続可能コネクタ８２および８４をさらに備えている。バック・パネル８６は、個別ビデオ信号コネクタ接点３０の、図８に示す６×８行／列アレイ６８を備えており、図に示す一行は、導体３６ａないし３６ｈによってコネクタ３６に接続されている。
【００３５】
バック・パネル８６は、さらに、導体１００ないし１１０によってコネクタ８２に個別に接続されたコネクタ８８ないし９８を備えている。
信号処理ユニット４４は、マトリックス・スイッチ１１４をコネクタ４０へ接続するための導体１１２を備えている。マトリックス・スイッチ１１４は、出力信号を信号処理手段へ供給しており、例えば、ライン１１８を介して出力信号をマルチプレクサ１１６（ＭＵＸ１）へ供給し、ライン１２２を介して出力信号をマルチプレクサ１２０（ＭＵＸ２）へ供給し、また、ライン１２６を介して出力信号をマルチプレクサ１２４（ＭＵＸ１）へ供給している。
【００３６】
マルチプレクサ１１６の出力信号は、ライン１２８および１３０を介してコネクタ８４へ伝達され、マルチプレクサ１２０の出力信号は、ライン１３２および１３４を介してコネクタ８４へ伝達され、また、マルチプレクサ１２４の出力信号は、ライン１３６および１３８を介してコネクタ８４へ伝達されている。
【００３７】
図１０に示すラッチ・ボタン７８および７８’は、信号処理ユニット４４のカバー（図示せず）の左右のマージンに設けられている。
コネクタ８８は、マルチプレクサ１１６に対して、モニタのコネクタに接続することができ、また、コネクタ９０は、マルチプレクサ１１６に対して、ＶＣＲ用のコネクタに接続することができる。コネクタ９２は、マルチプレクサ１２０に対して、モニタのコネクタに接続することができ、また、コネクタ９４は、マルチプレクサ１２０に対して、ＶＣＲ用のコネクタに接続することができる。コネクタ９６は、マルチプレクサ１２４に対して、モニタのコネクタに接続することができ、また、コネクタ９８は、マルチプレクサ１２４に対して、ＶＣＲ用のコネクタに接続することができる。
【００３８】
図１０に示す構造の場合、例えば図２の構造とは異なり、ＣＣＴＶシステム信号処理ユニット（４４）全体を取り外すことができ、かつ、一まとめにしてバック・パネルに再取付けすることができる。したがって図１０の構造の場合、図２の構造に固有の再取付け誤りの可能性が回避される。
【００３９】
他の観点から見ると、図１０に示す構造は、Ｎ台のビデオ・カメラ、Ｎ台のビデオ・カメラのビデオ出力信号を受信するためのＮ個のコネクタを有するバック・パネル、およびバック・パネルのＮ個のコネクタに接続された、Ｎの約数であるＭ個のマルチプレクサを備えたＣＣＴＶシステムの改良を提供している。このシステムでは、Ｍ個のマルチプレクサは共通の基板上で支持され、基板およびバック・パネルを相互に固定するための機械式ラッチ手段が設けられている。ラッチ手段はユーザによる操作が可能であり、それにより基板およびバック・パネルの固定を解除することができる。
【００４０】
図に示した本発明の特定の実施形態に、本発明の範囲を逸脱することなく様々な変更を加えることができる。したがって、開示した特定の実施形態は、本発明を制限することを意図したものではなく、本発明の説明を意図したものであることを理解すべきである。本発明の真の精神および範囲は、特許請求の範囲の各請求項に示す通りである。
【図面の簡単な説明】
【図１】  概ね、上で考察した物品監視のための知られている第２のタイプのＣＣＴＶシステムを示す説明図である。
【図２】  本発明によるビデオ信号接続装置の第１の実施形態の正面図である。
【図３】  図２の側面図である。
【図４】  本発明によるビデオ信号接続装置の第２の実施形態の側面図である。
【図５】  本発明によるビデオ信号接続装置の第３の実施形態の正面図である。
【図６】  本発明によるビデオ信号接続装置の第４の実施形態の正面図である。
【図７】  図６の側面図である。
【図８】  特に好ましい、本発明によるビデオ信号接続装置の第５の実施形態の斜視図である。
【図９】  図９（ａ）は、図８に示す実施形態のための解放可能ラッチ機構を示す図である。
図９（ｂ）は、図８に示す実施形態のための解放可能ラッチ機構を示す他の図である。
【図１０】  本発明に従って配列されたＣＣＴＶシステムの選択されたコンポーネントの略図である。
【図１】
0004619618.tif 000002
【図２】
0004619618.tif 000003
【図３】
0004619618.tif 000004
【図４】
0004619618.tif 000005
【図５】
0004619618.tif 000006
【図６】
0004619618.tif 000007
【図７】
0004619618.tif 000008
【図８】
0004619618.tif 000009
【図９Ａ】
0004619618.tif 000010
【図９Ｂ】
0004619618.tif 000011
【図１０】
0004619618.tif 000012